(57)【要約】【課題】従来の変圧整流ユニット及びその配線方法では、前記二次側出力線１ｂは前記スタッド側端子１１にとも締めされ、各ダイオードＤ１，Ｄ２の固定と二次側出力線１ｂの固定とが同時に行われるので、該組立作業が難しく、該組立作業に要する時間が長くなる。【解決手段】各スタッド側端子１１には、取付孔１５ａに挿入される前に垂直部２０ａを有する出力端子板２０がそれぞれ取り付けられ、各ダイオードＤ１，Ｄ２が放熱板１５に固定された際には、前記各スタッド側端子１１と同電位の出力端子板２０が前記各ボルト頭部１２と放熱板１５との間にそれぞれ介在されている。トランスＴ１からの二次側出力線１ｂは、各ターミナル側端子１０に接続されている。【選択図】図１
2008192870.tif 000002
【特許請求の範囲】
【請求項１】
一次側入力線（１ａ）及び二次側出力線（１ｂ）が設けられ、前記一次側入力線（１ａ）に接続された外部からの交流電力を変圧し前記二次側出力線（１ｂ）から出力するトランス（Ｔ１）と、
それぞれアノード及びカソードのいずれか一方であるターミナル側端子（１０）及びスタッド側端子（１１）と、前記スタッド側端子（１１）と同電位のボルト頭部（１２）とがそれぞれ設けられるとともに、前記二次側出力線（１ｂ）が前記ターミナル側端子（１０）に接続され、前記トランス（Ｔ１）で変圧された交流電力を整流する複数のダイオード（Ｄ１，Ｄ２）と、
前記各スタッド側端子（１１）がそれぞれ挿入される複数の取付孔（１５ａ）が設けられるとともに、該取付孔（１５ａ）に挿入された前記スタッド側端子（１１）にナット（１６）がそれぞれ螺合されることで前記ボルト頭部（１２）と前記ナット（１６）とによって前記各ダイオード（Ｄ１，Ｄ２）が固定され、該各ダイオード（Ｄ１，Ｄ２）で発生した熱を放出する放熱板（１５）と
を備えていることを特徴とする変圧整流ユニット。
【請求項２】
前記放熱板（１５）と前記各ボルト頭部（１２）との間にそれぞれ介在され、前記各スタッド側端子（１１）と同電位の出力端子板（２０）をさらに備えていることを特徴とする請求項１記載の変圧整流ユニット。
【請求項３】
入力された交流電力を変圧するトランス（Ｔ１）と、前記トランス（Ｔ１）に接続され前記トランス（Ｔ１）で変圧された交流電力を整流する複数のダイオード（Ｄ１，Ｄ２）と、各ダイオード（Ｄ１，Ｄ２）で発生する熱を放出する放熱板（１５ａ）とからなる変圧整流ユニットの配線方法であって、
前記各ダイオード（Ｄ１，Ｄ２）のスタッド側端子（１１）を放熱板（１５）に設けられた複数の取付孔（１５ａ）にそれぞれ挿入し、前記各ダイオード（Ｄ１，Ｄ２）を前記放熱板（１５）に固定するとともに、前記トランス（Ｔ１）の二次側出力線（１ｂ）を前記各ダイオード（Ｄ１，Ｄ２）のターミナル側端子（１０）に接続することを特徴とする変圧整流ユニットの配線方法。
【請求項４】
前記各ダイオード（Ｄ１，Ｄ２）には、前記スタッド側端子（１１）と同電位のボルト頭部（１２）がそれぞれ設けられており、
前記スタッド側端子（１１）を前記取付孔（１５ａ）にそれぞれ挿入する前に、前記スタッド側端子（１１）に出力端子板（２０）を取り付け、前記各ダイオード（Ｄ１，Ｄ２）が前記放熱板（１５）に固定された際に、前記各ボルト頭部（１２）と前記放熱板（１５）との間に前記出力端子板（２０）をそれぞれ介在させることを特徴とする請求項３記載の変圧整流ユニットの配線方法。
【発明の詳細な説明】
【技術分野】
【０００１】
本発明は、供給された交流電力を変圧するとともに整流する変圧整流ユニット及びその配線方法に関し、特に、トランスの二次側出力線を各ダイオードのターミナル側端子にそれぞれ接続することで、組立作業を容易にでき、該組立作業に要する時間を短縮できる新規な改良に関するものである。
【背景技術】
【０００２】
社内技術であり特に特許出願をしていないため文献名を挙げていないが、従来用いられていたこの種の変圧整流ユニット（ＴＲＡＮＳＦＯＲＭＥＲ  ＲＥＣＴＩＦＩＥＲ  ＵＮＩＴ）は図２及び図３のように構成されている。図２は、従来の変圧整流ユニットを示す結線図である。図において、変圧整流ユニットは、トランスＴ１と複数の整流部２（図では整流部２を１つだけ示している）とから構成されている。トランスＴ１には、外部に接続された一次側入力線１ａと、前記整流部２に接続された二次側出力線１ｂとが設けられており、このトランスＴ１は、外部からの交流電力を変圧し前記二次側出力線１ｂから出力するものである。前記各整流部２は、前記二次側出力線１ｂに接続された第１及び第２のダイオードＤ１，Ｄ２から構成されており、トランスＴ１で変圧された交流電力を整流（全波整流）するものである。
【０００３】
次に、図３は、図２の整流部２の結線をより具体的に示す構成図である。図において、第１及び第２のダイオードＤ１，Ｄ２には、それぞれアノード及びカソードのいずれか一方であるターミナル側端子１０及びスタッド側端子１１と、前記スタッド側端子１１と同電位のボルト頭部１２とがそれぞれ設けられており、前記スタッド側端子１１は放熱板１５に設けられた取付孔１５ａに挿入されている。第１及び第２のダイオードＤ１，Ｄ２は、取付孔１５ａに挿入されたスタッド側端子１１にナット１６が螺合されることで、前記ボルト頭部１２と前記ナット１６とによって放熱板１５に固定され、放熱板１５は、第１及び第２のダイオードＤ１，Ｄ２で発生した熱を放出する。前記二次側出力線１ｂは、スタッド側端子１１が取付孔１５ａに挿入された後で、ナット１６がスタッド側端子１１に螺合される前に、スタッド側端子１１に取り付けられ、前記ナット１６によって前記スタッド側端子１１にとも締めされる。なお、放熱板１５及びスタッド側端子１１間と、放熱板１５及びボルト頭部１２間と、放熱板１５及び二次側出力線１ｂ間には、絶縁部材１７が介在されており、出力端子はターミナル側端子１０である。
【発明の開示】
【発明が解決しようとする課題】
【０００４】
上記のような従来の変圧整流ユニット及びその配線方法では、前記二次側出力線１ｂは前記スタッド側端子１１にとも締めされ、各ダイオードＤ１，Ｄ２の固定と二次側出力線１ｂの固定とが同時に行われるので、配線にストレスを与えないように、ダイオードのターミナルの向きと配線の端子の向きとを同時に調整する必要があり、該組立作業が難しく、該組立作業に要する時間が長くなる。
【課題を解決するための手段】
【０００５】
本発明に係る変圧整流ユニットは、一次側入力線及び二次側出力線が設けられ、前記一次側入力線に接続された外部からの交流電力を変圧し前記二次側出力線から出力するトランスと、それぞれアノード及びカソードのいずれか一方であるターミナル側端子及びスタッド側端子と、前記スタッド側端子と同電位のボルト頭部とがそれぞれ設けられるとともに、前記二次側出力線が前記ターミナル側端子に接続され、前記トランスで変圧された交流電力を整流する複数のダイオードと、前記各スタッド側端子がそれぞれ挿入される複数の取付孔が設けられるとともに、該取付孔に挿入された前記スタッド側端子にナットがそれぞれ螺合されることで前記ボルト頭部と前記ナットとによって前記各ダイオードが固定され、該各ダイオードで発生した熱を放出する放熱板とを備える。
また、前記放熱板と前記各ボルト頭部との間にそれぞれ介在され、前記各スタッド側端子と同電位の出力端子板をさらに備える。
【０００６】
また、本発明に係る変圧整流ユニットの配線方法は、入力された交流電力を変圧するトランスと、前記トランスに接続され前記トランスで変圧された交流電力を整流する複数のダイオードと、各ダイオードで発生する熱を放出する放熱板とからなる変圧整流ユニットの配線方法であって、前記各ダイオードのスタッド側端子を放熱板に設けられた複数の取付孔にそれぞれ挿入し、前記各ダイオードを前記放熱板に固定するとともに、前記トランスの二次側出力線を前記各ダイオードのターミナル側端子に接続することを特徴とする。
また、前記各ダイオードには、前記スタッド側端子と同電位のボルト頭部がそれぞれ設けられており、前記スタッド側端子を前記取付孔にそれぞれ挿入する前に、前記スタッド側端子に出力端子板を取り付け、前記各ダイオードが前記放熱板に固定された際に、前記各ボルト頭部と前記放熱板との間に前記出力端子板をそれぞれ介在させることを特徴とする。
【発明の効果】
【０００７】
本発明の変圧整流ユニット及びその配線方法によれば、前記二次側出力線は前記ターミナル側端子に接続されるので、各ダイオードの向きを予め決めて放熱板に固定した後に、二次側出力線を配線でき、向きの調整を簡略化することで組立作業を容易にでき、該組立作業に要する時間を短縮できる新規な改良に関するものである。
また、前記放熱板と前記各ボルト頭部との間に前記各スタッド側端子と同電位の出力端子板が介在されているので、整流部２の出力配線を容易にすることができ、他の回路との接続を容易にできる。
【発明を実施するための最良の形態】
【０００８】
以下、本発明を実施するための最良の形態について、図面を参照して説明する。
実施の形態
この実施の形態の変圧整流ユニットの全体としての結線は、従来の変圧整流ユニットの全体としての結線（図２）と同様であるので、特徴となる整流部２を説明する。なお、従来のステータと同一又は同等部分については同一の符号を用いて説明する。
図１は、本発明の実施の形態による変圧整流ユニットの整流部２の結線を示す構成図である。図において、第１及び第２のダイオードＤ１，Ｄ２には、それぞれアノード及びカソードのいずれか一方であるターミナル側端子１０及びスタッド側端子１１と、前記スタッド側端子１１と同電位のボルト頭部１２とがそれぞれ設けられており、前記スタッド側端子１１は放熱板１５に設けられた取付孔１５ａに挿入されている。第１及び第２のダイオードＤ１，Ｄ２は、取付孔１５ａに挿入されたスタッド側端子１１にナット１６が螺合されることで、前記ボルト頭部１２と前記ナット１６とによって放熱板１５に固定され、放熱板１５は、第１及び第２のダイオードＤ１，Ｄ２で発生した熱を放出する。なお、放熱板１５及びスタッド側端子１１間と、放熱板１５及びボルト頭部１２間と、放熱板１５及び二次側出力線１ｂ間には、絶縁部材１７が介在されている。
【０００９】
各スタッド側端子１１には、取付孔１５ａに挿入される前に垂直部２０ａを有する出力端子板２０がそれぞれ取り付けられ、各ダイオードＤ１，Ｄ２が放熱板１５に固定された際には、前記各スタッド側端子１１と同電位の出力端子板２０が前記各ボルト頭部１２と放熱板１５との間にそれぞれ介在されている。トランスＴ１からの二次側出力線１ｂは、各ターミナル側端子１０に接続されている。
【００１０】
このような変圧整流ユニット及びその配線方法によれば、二次側出力線１ｂは前記ターミナル側端子１０に接続されるので、各ダイオードＤ１，Ｄ２の向きを予め決めて放熱板１５に固定した後に、二次側出力線１ｂを配線でき、向きの調整を簡略化することで組立作業を容易にでき、該組立作業に要する時間を短縮できる新規な改良に関するものである。
また、前記放熱板１５と前記各ボルト頭部１２との間に前記各スタッド側端子１１と同電位の出力端子板２０が介在されているので、整流部２の出力配線を容易にすることができ、他の回路との接続を容易にできる。
【００１１】
なお、実施の形態では、出力端子板２０は凹状に屈曲されていると説明したが、例えば平板等であってもよい。
【図面の簡単な説明】
【００１２】
【図１】本発明の実施の形態による変圧整流ユニットの整流部の結線を示す構成図である。
【図２】従来の変圧整流ユニットを示す結線図である。
【図３】図２の整流部の結線をより具体的に示す構成図である。
【符号の説明】
【００１３】
Ｔ１  トランス、１ａ  一次側入力線、１ｂ  二次側出力線、Ｄ１，Ｄ２  第１及び第２のダイオード、１０  ターミナル側端子、１１  スタッド側端子、１２  ボルト頭部、１５  放熱板、１５ａ  取付孔、１６  ナット、１７  絶縁部材、２０  出力端子板。
【図１】
2008192870.tif 000003
【図２】
2008192870.tif 000004
【図３】
2008192870.tif 000005